(57)【特許請求の範囲】
【請求項１】
車体パネルの一般部表面の外縁外側に配設されるブラケット本体部と、当該ブラケット本体部に一体化されバンパの装着に伴って当該バンパに押されて弾性変形する弾性係止片とを備えるとともに、バンパを係止して保持する係止部が当該弾性係止片に形成されたバンパ取付用ブラケットにおいて、
前記弾性係止片の前記外縁に略沿う方向の両端部が前記ブラケット本体部に接続され、当該弾性係止片がブラケット本体部に両端支持された状態に一体化されており、
前記ブラケット本体部をなす外壁部の少なくとも一部が分断されて間隙が形成され、前記弾性係止片が当該分断された外壁部間に架設されたことを特徴とするバンパ取付用ブラケット。
【請求項２】
前記ブラケット本体部をなす外壁部上に一対の突壁部が形成され、前記弾性係止片が前記一対の突壁部間に架設されたことを特徴とする請求項１に記載のバンパ取付用ブラケット。
【請求項３】
前記係止部の形成された部分がバンパと当接する方向に突出するように、前記弾性係止片を屈曲形成したことを特徴とする請求項１または２に記載のバンパ取付用ブラケット。
【請求項４】
前記弾性係止片を、複数の板状部分が屈折状態で連接された形状としたことを特徴とする請求項３に記載のバンパ取付用ブラケット。
【請求項５】
前記弾性係止片の架設方向と交叉する幅方向の端縁に切り込みを形成したことを特徴とする請求項１または２に記載のバンパ取付用ブラケット。
【請求項６】
前記弾性係止片を、前記外壁部より薄肉に形成したことを特徴とする請求項１または２に記載のバンパ取付用ブラケット。
【請求項７】
前記バンパ取付用ブラケットは、車体パネルの外縁が表面に沿って曲がる部分の当該外縁を段差状に凹設してなるフランジに取り付けられるものであることを特徴とする請求項１〜６のうちいずれか一つに記載のバンパ取付用ブラケット。
【発明の詳細な説明】
【技術分野】
【０００１】
本発明は、バンパを車体に取り付けるのに用いるバンパ取付用ブラケットに関する。
【背景技術】
【０００２】
従来、車体パネルの凹設部に設けられてバンパを係止するバンパ取付用ブラケットが知られている（例えば特許文献１）。
【０００３】
特許文献１に開示されるバンパ取付用ブラケットは、剛性壁と弾性係止片（弾性挟持片）とによってバンパの一部を弾性的に挟持するものとして構成されている。
【０００４】
弾性係止片は、凹設部の奥側でブラケットの本体部に片持ち支持され、凹設部の深さ方向に沿ってパネル表面側に向けて伸びている。
【特許文献１】特開２０００−５２９００号公報
【発明の開示】
【発明が解決しようとする課題】
【０００５】
上記特許文献１の構造は、弾性係止片の長さを十分に確保できる場合には有効であるが、凹設部を深く形成できない場合等、弾性係止片の長さを十分に確保できない場合には、十分な撓み量を確保することができず、弾性係止片が硬くなりすぎてバンパを嵌め込むときの押込力が大きくなりバンパを取り付けるのが難しくなったり、逆に撓み量を確保すべく弾性係止片の剛性を下げると、所望のバンパ保持力を与えられなくなったりして、バンパの保持性と取付容易性とを両立するのが難しくなる場合があった。
【０００６】
そこで、本発明は、より容易にかつより確実にバンパを取り付けることができるとともに、より確実にバンパを保持することができるバンパ取付用ブラケットを得ることを目的とする。
【課題を解決するための手段】
【０００７】
本発明にあっては、車体パネルの一般部表面の外縁外側に配設されるブラケット本体部と、当該ブラケット本体部に一体化されバンパの装着に伴って当該バンパに押されて弾性変形する弾性係止片とを備えるとともに、バンパを係止して保持する係止部が当該弾性係止片に形成されたバンパ取付用ブラケットにおいて、前記弾性係止片の前記外縁に略沿う方向の両端部が前記ブラケット本体部に接続され、当該弾性係止片がブラケット本体部に両端支持された状態に一体化されており、前記ブラケット本体部をなす外壁部の少なくとも一部が分断されて間隙が形成され、前記弾性係止片が当該分断された外壁部間に架設されたことを最も主要な特徴とする。
【発明の効果】
【０００８】
本発明によれば、弾性係止片の上記外縁に略沿う方向の両端部をブラケット本体部に接続し、当該弾性係止片をブラケット本体部に両端支持された状態に一体化したので、凹設部の深さ等によらず弾性係止片の長さをより適切に確保できるようになり、バンパをより容易にかつより確実に取り付けることができるとともに、より確実に保持することができるようになる。また、本発明によれば、外壁部の少なくとも一部を分断して間隙を形成し、弾性係止片を当該分断された外壁部間に架設したため、弾性係止片を選択的に弾性変形させて、バンパ取付用ブラケットの本体部としての天壁部や縦壁部の変形を抑制することができる。よって、リヤバンパを取り付ける際に押圧力が作用しても、バンパ取付用ブラケットのリヤアウタパネルへの取付状態をより確実に維持することができるとともに、弾性係止片をより確実に所望の姿勢に撓ませて所期の特性（リヤバンパの係止力やリヤバンパ取付時の反力等）を得やすくなるという利点がある。
【発明を実施するための最良の形態】
【０００９】
以下、本発明の実施形態について図面を参照しながら詳細に説明する。
【００１０】
（第１実施形態）図１は、本実施形態にかかるバンパ取付用ブラケットを用いた車体構造の分解斜視図、図２は、図１のバンパ取付用ブラケットを含む部分を拡大して示す分解斜視図、図３は、バンパ取付用ブラケットの弾性係止片を含む部分の斜視図、図４は、バンパ取付用ブラケットを介してバンパを車体に取り付けた状態における図２のＡ−Ａ断面に相当する部分の断面図である。
【００１１】
本実施形態では、リヤアウタパネル（車体パネル）１の後部かつ下部に、バンパ取付用ブラケット２を用いてリヤバンパ３を取り付ける構造を例示する。
【００１２】
図１および図２に示すように、リヤアウタパネル１の後部かつ下部の外縁２０は緩やかに曲がる角部をなしており、この角部に適合する凹部を有して後部側面から後面側に回り込む形状のリヤバンパ３が取り付けられる。
【００１３】
この部分において、リヤアウタパネル１の一般部表面１０の外縁２０には、図４にも示すように、当該外縁２０で屈曲して裏面側に向かう側壁部１ｃと、当該側壁部１ｃの内端で一般部表面１０に沿う方向に屈曲して外側に張り出す底壁部（フランジ部１ａ）とによって、断面略Ｌ字状の凹設部１１が形成されており、この凹設部１１にバンパ取付用ブラケット２が収容されて固定される。すなわち、本実施形態では、バンパ取付用ブラケット２は、一般部表面１０の外縁２０より外側に配設されるとともに、側壁部１ｃおよびフランジ部１ａに沿うように細長く形成されて、リヤアウタパネル１の一般部表面１０の外縁２０の形状にしたがって屈曲している。
【００１４】
このバンパ取付用ブラケット２は、図２に示すように、クリップ６によってフランジ部１ａに固定される。具体的には、バンパ取付用ブラケット２の縦壁部２ｂに設けたクリップ挿入凹部２ｄの底壁部２ｅに貫通孔（図示せず）を形成し、この貫通孔を挿通させたクリップ６をフランジ部１ａに穿設したクリップ取付孔１ｂに嵌め込むことで、バンパ取付用ブラケット２をフランジ部１ａ上に当接させた状態で固定してある。
【００１５】
また、本実施形態では、図４に示すように、バンパ取付用ブラケット２をフランジ部１ａに取り付けた状態で、バンパ取付用ブラケット２の天壁部２ａを側壁部１ｃに沿わせるようにし、当該天壁部２ａと側壁部１ｃとの間にほぼ一定高さの間隙１２を形成している。この間隙１２には、リヤバンパ３の天壁部３ａが挿入される。
【００１６】
そして、バンパ取付用ブラケット２の天壁部２ａには、間隙１２内に突出する係止突起（係止部）４を有する弾性係止片５が設けられており、この係止突起４がリヤバンパ３の天壁部３ａに形成された係止凹部３ｂに挿入され、これらが係合することで、バンパ取付用ブラケット２にリヤバンパ３が係止される構造となっている。
【００１７】
図３に示すように、弾性係止片５は、バンパ取付用ブラケット２の本体部としての天壁部２ａに、外縁２０に略沿う方向（Ｘ方向）の両端部７，７で接続されて、所謂両端支持された状態で一体化されている。具体的には、天壁部２ａおよび縦壁部２ｂの一部を分断して間隙２ｃを形成し、当該間隙２ｃを挟んで相互に対向する端縁間に、帯板状の弾性係止片５を架設してある。
【００１８】
また、この弾性係止片５は、係止突起４が形成された板状部分としての天板部５ａの両側に、略ハの字状をなす一対の脚板部５ｂを屈折状態で（所定角度をもって）連接して、係止突起４が形成された天板部５ａがリヤバンパ３の天壁部３ａと当接する方向（図３，図４では上方向）に突出するように山形に屈曲形成してある。この弾性係止片５によってリヤバンパ３の係止凹部３ｂに係止突起４を弾性的に挿入してこれらを係合させ、以て、リヤバンパ３の適宜な保持力を確保している。
【００１９】
かかる構成では、リヤバンパ３の装着に伴って当該リヤバンパ３の天壁部３ａが間隙１２に挿入されると、当該天壁部３ａに押された係止突起４は間隙１２から離れる方向（側壁部１ｃから離間する方向、図３，図４では下方向）に移動し、以て、弾性係止片５は、山形が僅かに潰れた状態に弾性的に変形する。さらに、係止凹部３ｂが係止突起４に対応する位置までリヤバンパ３が挿入されると、弾性係止片５は、係止突起４が突出して係止凹部３ｂに係合する状態まで復帰する。
【００２０】
このとき、本実施形態では、図４に示すように、弾性係止片５を天壁部２ａよりも薄肉に形成するとともに、天壁部２ａには適宜にリブ２ｆ，２ｇ等を設けて相対的に剛性および強度の向上を図ることで、弾性係止片５が選択的に弾性変形するようにしてある。
【００２１】
そして、この弾性係止片５は、バンパ取付用ブラケット２の一部として、係止突起４とともに樹脂一体成形されている。
【００２２】
以上の構成においては、まずは、クリップ６を用いてリヤアウタパネル１のフランジ部１ａ上にバンパ取付用ブラケット２を固定する。
【００２３】
次に、リヤバンパ３を、所定の取付位置に向けて、図２〜図４に示す取付方向（Ｙ方向）に沿って（リヤアウタパネル１の一般部表面１０の法線方向に略沿って）、取付姿勢とほぼ平行な姿勢で近接させ、天壁部３ａを間隙１２内に挿入する。
【００２４】
このとき、上述したように、天壁部３ａによって押された係止突起４は、一旦、バンパ取付用ブラケット２の内方に弾性的に引き込むが、係止凹部３ｂが係止突起４と対向する位置までリヤバンパ３が挿入されると、弾性係止片５の弾性復元力によって係止突起４は再び突出して、係止凹部３ｂと係合する。なお、係止突起４と係止凹部３ｂとが相互に係合する状態では、これらがほとんど隙間無く当接する状態が維持されるように構成し、係止突起４と係止凹部３ｂとのがたつきが生じないようにするのが好適である。
【００２５】
こうして、リヤバンパ３はバンパ取付用ブラケット２に固定され、以て、リヤバンパ３がリヤアウタパネル１に取り付けられる。
【００２６】
以上の本実施形態によれば、弾性係止片５の外縁２０に略沿う方向（Ｘ方向）の両端部７，７をブラケット本体部としての天壁部２ａに接続し、当該弾性係止片５を天壁部２ａに両端支持された状態に一体化したため、凹設部１１の深さによらず弾性係止片５の長さをより適切に確保できるようになり、リヤバンパ３をより容易にかつより確実に取り付けることができるとともに、より確実に保持することができるようになる。
【００２７】
すなわち、本実施形態にかかるバンパ取付用ブラケット２は、上述したように、リヤアウタパネル１の外縁２０を段差状に凹設してなる凹設部１１に収容し、凹設部１１の底壁部としてのフランジ部１ａに取り付けられるものであるが、このように車体パネルの外縁２０を段差状に凹設する場合、当該外縁２０が表面に沿って曲がる部分では、鋼板をプレス成形する関係上、側壁部１ｃやフランジ部１ａの板厚の確保や割れ等の防止という観点から、成形に伴う伸び量を抑える必要が生じ、凹設部１１の絞り込む深さを深くとるのが難しくなる場合がある。すなわち、外縁２０が表面に沿って曲がる部分では、凹設部１１の側壁部１ｃの幅が狭くなり、以て、当該凹設部１１に収容されるバンパ取付用ブラケット２の幅も、図２に示すように、直線状の外縁に対応する部分の幅に比べて狭くせざるを得ない場合が多い。
【００２８】
したがって、従来のように弾性係止片が凹設部の深さ方向に伸びる構造だと、外縁が表面に沿って曲がる部分では当該弾性係止片の長さを確保することができず、その撓み量が制限され、バンパを嵌め込むときの押圧力が大きくなり、バンパを取り付けるのが難しくなってしまう。
【００２９】
この点、本実施形態によれば、弾性係止片５の外縁２０に略沿う方向（Ｘ方向）の両端部７，７をバンパ取付用ブラケット２の本体部としての天壁部２ａに接続して、当該弾性係止片５が両端支持された状態に形成したため、凹設部１１が浅く、当該凹設部１１の深さ方向にバンパ取付用ブラケット２の天壁部２ａの幅を長くとることができないような場合にも、弾性係止片５の必要十分な長さ（撓み区間）を確保することができるため、弾性係止片５の撓み量と弾性力（付勢力）とを適宜に両立して、バンパの押込力を抑えつつバンパの係止に必要な係止力を確保することができる。
【００３０】
なお、こうした事情に限らず、他の要因で凹設部１１を深くとることができない場合や、バンパ取付用ブラケット２が凹設部１１内に完全に収容されない形態であっても車体パネル表面の法線方向には弾性係止片の長さを確保できないような場合の他、もちろん、凹設部１１の深さを十分にとることができる場合についても、本実施形態にかかるバンパ取付用ブラケット２を適用することが可能である。
【００３１】
また、本実施形態では、弾性係止片５をバンパ取付用ブラケット２に両端支持させる構成としたため、片持ち支持とする場合に比べて弾性的な付勢力を高めて係止力を増大することができる。
【００３２】
さらに、係止突起４の形成された天板部５ａがリヤバンパ３と当接する方向に突出するように弾性係止片５を屈曲形成したため、係止突起４と係止凹部３ｂとの係止力をより一層高めて、リヤバンパ３をより確実に固定することができる。
【００３３】
また、本実施形態では、弾性係止片５を、複数の板状部分（天板部５ａ、脚板部５ｂ）が屈折状態で連接された形状としたため、当該板状部分同士が連接される境界部を起点に屈曲させることができる。したがって、弾性係止片５の弾性変形姿勢（撓み姿勢）を制御しやすくなり、例えば、リヤバンパ３の取付時に弾性係止片５が予期せぬ形状に偏って変形し、応力が局所的に増大するような事態を抑制することができる。
【００３４】
特に、本実施形態のように、天板部５ａの両側に一対の脚板部５ｂを略ハの字状に対称に連接させた場合、天板部５ａをほぼ平行移動させることができるため、リヤバンパ３の取付時に弾性係止片５を所望の姿勢で撓ませてより確実に係止突起４を引き込ませることができ、上記応力が局所的に増大するような事態をより一層確実に抑制することができる。
【００３５】
また、本実施形態では、外壁部としての天壁部２ａおよび縦壁部２ｂの少なくとも一部を分断して間隙２ｃを形成し、弾性係止片５を当該分断された天壁部２ａ，２ａ間に架設するとともに、弾性係止片５を天壁部２ａより薄肉に形成し、弾性係止片５の剛性を天壁部２ａより相対的に低くしたため、弾性係止片５を選択的に弾性変形させて、バンパ取付用ブラケット２の本体部としての天壁部２ａや縦壁部２ｂの変形を抑制することができる。よって、リヤバンパ３を取り付ける際に押圧力が作用しても、バンパ取付用ブラケット２のリヤアウタパネル１への取付状態をより確実に維持することができるとともに、弾性係止片５をより確実に所望の姿勢に撓ませて所期の特性（リヤバンパ３の係止力やリヤバンパ３取付時の反力等）を得やすくなるという利点がある。
【００３６】
また、図５に示す変形例のように、係止突起４Ａを、ノッチ４ａを形成する等して弾性係止片５の架設方向（≒Ｘ方向）に沿って複数に分割し、弾性係止片５（の天板部５ａ）をより一層撓みやすく構成してもよい。
【００３７】
（第２実施形態）図６は、バンパ取付用ブラケットの弾性係止片を設けた部分を切り出した斜視図、図７は、バンパ取付用ブラケットを介してバンパを車体に取り付けた状態における図６のＢ−Ｂ断面に相当する部分の断面図である。なお、本実施形態にかかるバンパ取付用ブラケットは、上記第１実施形態にかかるバンパ取付用ブラケットと同様の構成要素を備えている。よって、対応する構成要素については共通の符号を付与し、重複する説明を省略する。
【００３８】
本実施形態でも、弾性係止片５Ｂの上記外縁２０に略沿う方向（Ｘ方向）の両端部７，７がバンパ取付用ブラケット２Ｂの天壁部２ａに接続され、当該弾性係止片５Ｂが天壁部２ａに両端支持された状態に一体化されている点は、上記第１実施形態と同様である。
【００３９】
ただし、本実施形態では、天壁部２ａ上に架設した弾性係止片５Ｂと天壁部２ａとの間の間隙１２にリヤバンパ３の天壁部３ａを挿入して挟持する点が、上記第１実施形態とは相違している。
【００４０】
すなわち、弾性係止片５Ｂは、天壁部２ａ上に所定間隔をあけて相互に対向する一対の脚板部（突壁部）５ｂを立設し、この一対の脚板部５ｂ間に帯状の天板部５ａを架設して、天板部５ａの長手方向ほぼ中央部に、天壁部２ａ側に向けて（すなわち天板部５ａと天壁部２ａとの間の間隙１２内に）突出する係止突起４を設けた構造となっている。
【００４１】
また、縦壁部２ｂは、凹設部１１の奥側、すなわちフランジ部１ａに近い側に設けられており、この縦壁部２ｂの天壁部２ａより天板部５ａ側となる部分に矩形状の間隙（開口部）２ｃを形成することで、弾性係止片５Ｂが天壁部２ａ上に両端支持されるようにしてある。
【００４２】
なお、縦壁部２ｂと天壁部２ａとの境界部には三角形板状のリブ２ｈを設けてバンパ取付用ブラケット２Ｂの一般部の剛性および強度の向上を図るとともに、間隙１２をなす天壁部２ａおよび天板部５ａの入口側、すなわちリヤバンパ３を挿入する側には、相互に斜めに拡開するガイド壁部２ｉ，５ｄを設け、リヤバンパ３を挿入しやすくしてある。
【００４３】
かかる本実施形態によっても、上記第１実施形態とほぼ同様の効果を得ることができる。
【００４４】
（第３実施形態）図８は、バンパ取付用ブラケットの弾性係止片を設けた部分を切り出した斜視図、図９は、バンパ取付用ブラケットを介してバンパを車体に取り付けた状態における図８のＣ−Ｃ断面に相当する部分の断面図である。なお、本実施形態にかかるバンパ取付用ブラケットは、上記第１または第２実施形態にかかるバンパ取付用ブラケットと同様の構成要素を備えている。よって、対応する構成要素については共通の符号を付与し、重複する説明を省略する。
【００４５】
本実施形態でも、弾性係止片５Ｃの上記外縁２０に略沿う方向（Ｘ方向）の両端部７，７がバンパ取付用ブラケット２Ｃの天壁部２ａに接続され、当該弾性係止片５Ｃが天壁部２ａに両端支持された状態に一体化されている点は、上記第１および第２実施形態と同様である。
【００４６】
ただし、本実施形態では、帯板状の弾性係止片５Ｃの架設方向（≒Ｘ方向）と交叉する幅方向の端縁５ｄに切り込み５ｃを形成した点が、上記第１実施形態とは相違している。
【００４７】
具体的には、切り込み５ｃを互い違いに設けることで、脚板部５ｂが架設方向略中央部の天板部５ａに向けてクランク状に蛇行するように構成している。
【００４８】
かかる本実施形態によっても、上記第１実施形態と同様の効果を得ることができる。さらに、本実施形態によれば、弾性係止片５Ｃがねじれやすくなる分、撓み量を増大することができるため、レイアウトの制約等で弾性係止片５Ｃの架設長を長くとりにくい場合に有利である。
【００４９】
以上、本発明の好適な実施形態について説明したが、本発明は上記実施形態には限定されず種々の変形が可能である。例えば、上記実施形態では、いずれも、弾性係止片および係止突起を、バンパ取付用ブラケットの一部として一体成形したが、これらを別部材として形成した後に結合するようにしてもよいし、また、係止突起をバンパ側に設け、弾性係止片にはこの係止突起と係合する係止凹部を形成するようにしてもよい。
【００５０】
また、弾性係止片の形状や等も適宜に変更することができるし、本発明は、リヤバンパに限らず、フロントバンパその他にも適用可能である。また、各実施形態の構成要素や特徴を適宜に組み合わせて構成することも可能である。
【図面の簡単な説明】
【００５１】
【図１】本発明の第１実施形態にかかるバンパ取付用ブラケットを用いた車体構造の分解斜視図。
【図２】本発明の第１実施形態にかかるバンパ取付用ブラケットを含む図１の拡大図。
【図３】本発明の第１実施形態にかかるバンパ取付用ブラケットの弾性係止片を含む部分の斜視図。
【図４】本発明の第１実施形態にかかるバンパ取付用ブラケットを介してバンパを車体に取り付けた状態における図２のＡ−Ａ断面に相当する部分の断面図。
【図５】本発明の第１実施形態の変形例にかかるバンパ取付用ブラケットの弾性係止片を含む部分の斜視図。
【図６】本発明の第２実施形態にかかるバンパ取付用ブラケットの弾性係止片を設けた部分を切り出した斜視図。
【図７】本発明の第２実施形態にかかるバンパ取付用ブラケットを介してバンパを車体に取り付けた状態における図６のＢ−Ｂ断面に相当する部分の断面図。
【図８】本発明の第３実施形態にかかるバンパ取付用ブラケットの弾性係止片を設けた部分を切り出した斜視図。
【図９】本発明の第３実施形態にかかるバンパ取付用ブラケットを介してバンパを車体に取り付けた状態における図８のＣ−Ｃ断面に相当する部分の断面図。
【符号の説明】
【００５２】
１  リヤアウタパネル（車体パネル）
１ａ  フランジ部（フランジ）
２，２Ｂ，２Ｃ  バンパ取付用ブラケット
２ａ  天壁部（ブラケット本体部，外壁部）
２ｃ  間隙
３  リヤバンパ（バンパ）
４，４Ａ  係止突起（係止部）
５，５Ｂ，５Ｃ  弾性係止片
５ａ  天板部（板状部分）
５ｂ  脚板部（突壁部，板状部分）
５ｃ  切り込み
５ｄ  端縁
７，７  両端部
１０  一般部表面
２０  外縁
Ｘ  外縁に略沿う方向
【図１】
0004797618.tif 000002
【図２】
0004797618.tif 000003
【図３】
0004797618.tif 000004
【図４】
0004797618.tif 000005
【図５】
0004797618.tif 000006
【図６】
0004797618.tif 000007
【図７】
0004797618.tif 000008
【図８】
0004797618.tif 000009
【図９】
0004797618.tif 000010